(57)【要約】【課題】光学特性に対する温度補償を行いつつ、ファイバグレーティングを外部の応力等から保護する。【解決手段】光ファイバ３０をグレーティング領域３４に張力を加えた状態で保持する、底面部に第１の嵌合結合部２２が設けられているファイバ保持部材２０と、第１の嵌合結合部２２と嵌合する第２の嵌合結合部４５が設けられているパッケージ部材４２と、パッケージ部材４２の上面側に接して固着されて、グレーティング領域３４及びファイバ保持部材２０をパッケージとして覆う蓋部材４４とを具え、パッケージ部材４２とファイバ保持部材２０とが、第１の嵌合結合部２２と第２の嵌合結合部４５とにより互いに一箇所で固定された状態で、パッケージ部材４２の側面及びファイバ保持部材２０の側面の間と、蓋部材４４及び接着固定材３６の間と、嵌合させた第１の嵌合結合部２２及び第２の嵌合結合部４５の間とに、ファイバ保持部材２０の温度変化による膨張又は収縮を妨げないように間隙を設けてある。【選択図】　　　図１
2004045975.tif 000002
【特許請求の範囲】
【請求項１】
グレーティング領域を含む光ファイバを具え、該グレーティング領域の光学特性が温度補償されるファイバグレーティング型フィルタパッケージであって、
前記光ファイバを前記グレーティング領域に張力を加えた状態で、接着固定材により保持する、底面部に第１の嵌合結合部が設けられているファイバ保持部材と、
前記ファイバ保持部材を格納するための格納空間を形成する、上面側が開放されている略直方体状であって、互いに対向する２つの側面部に前記光ファイバを内部から外部へ貫通させて取り出すファイバ取り出し孔を具え、前記格納空間側の底面部には、前記第１の嵌合結合部と嵌合する第２の嵌合結合部が設けられているパッケージ部材と、
前記パッケージ部材の上面側に接して固着されて、前記グレーティング領域及び前記ファイバ保持部材をパッケージとして覆う蓋部材とを具え、
前記パッケージ部材と前記ファイバ保持部材とが、前記第１の嵌合結合部と前記第二の嵌合結合部とにより互いに一箇所で固定された状態で、前記パッケージ部材の側面及び前記ファイバ保持部材の側面の間と、前記蓋部材及び前記接着固定材の間と、嵌合させた前記第１の嵌合結合部及び前記第２の嵌合結合部の間とに、前記ファイバ保持部材の温度変化による膨張又は収縮を妨げないように間隙を設けてあること
を特徴とするファイバグレーティング型フィルタパッケージ。
【請求項２】
グレーティング領域を含む光ファイバを具え、該グレーティング領域の光学特性が温度補償されるファイバグレーティング型フィルタパッケージであって、
前記光ファイバを前記グレーティング領域に張力を加えた状態で、接着固定材により保持する、底面中心部に第１の嵌合結合部が設けられているファイバ保持部材と、
前記ファイバ保持部材を格納するための格納空間を形成する、上面側が開放されている略直方体状であって、互いに対向する２つの側面部に前記光ファイバを内部から外部へ貫通させて取り出すファイバ取り出し孔を具え、前記格納空間側の底面中心部には、前記第１の嵌合結合部と嵌合する第２の嵌合結合部が設けられているパッケージ部材と、
前記パッケージ部材の上面側に接して固着されて、前記グレーティング領域及び前記ファイバ保持部材をパッケージとして覆う蓋部材と、
前記パッケージ部材と前記ファイバ保持部材とが、前記第１の嵌合結合部と前記第二の嵌合結合部とにより、互いに一箇所で固定された状態で、前記ファイバ保持部材の温度変化による膨張又は収縮を妨げないように、前記パッケージ部材の側面及び前記ファイバ保持部材の側面の間に設けられている第１の間隙と、
前記蓋部材及び前記接着固定材の間に設けられている第２の間隙と、
嵌合させた前記第１の嵌合結合部の側面部及び前記第２の嵌合結合部と側面部の間に設けられている第３の間隙と、
前記第１の嵌合結合部の底面部及び前記第２の嵌合結合部の上面部の間に設けられている第４の間隙とを具えていること
を特徴とするファイバグレーティング型フィルタパッケージ。
【請求項３】
前記第１の嵌合結合部は、前記光ファイバの長手方向に垂直に交わる方向に設けられている、光ファイバの長手方向に沿った断面形状が略長方形状の凹状の溝であり、前記第２の嵌合結合部は前記光ファイバの長手方向に垂直に交わる方向に設けられている、光ファイバの長手方向に沿った断面形状が略長方形状の凸状の突起であることを特徴とする請求項２に記載のファイバグレーティング型フィルタパッケージ。
【請求項４】
前記第１の間隙内に、ファイバ保持部材の側面部とパッケージ部材の内側面部とを接着して接続するように、第１の振動吸収性接着材が設けられていることを特徴とする請求項３に記載のファイバグレーティング型フィルタパッケージ。
【請求項５】
ファイバ取り出し孔中を貫通している光ファイバに沿って、パッケージ部材のファイバ取り出し孔が設けられている側面部と、この側面部と対向するファイバ保持部材の上面部と、側面部との間に上側から、これら三者を接着して接続するように、第２の振動吸収性接着材がさらに設けられていることを特徴とする請求項４に記載のファイバグレーティング型フィルタパッケージ。
【請求項６】
前記第１の間隙、第２の間隙、第３の間隙及び第４の間隙の大きさは、前記ファイバ保持部材の膨張係数と、前記パッケージ部材及び前記蓋部材の膨張係数とに基づいて、温度変化による前記ファイバ保持部材の膨張又は収縮を妨げないように、決定されることを特徴とする請求項２〜５のいずれか一項に記載のファイバグレーティング型フィルタパッケージ。
【発明の詳細な説明】
【０００１】
【発明の属する技術分野】
この発明は、光通信モジュール用のファイバグレーティング型フィルタ装置に関し、特にパッケージ化されたファイバグレーティング型フィルタパッケージに関する。
【０００２】
【従来の技術】
様々な構造の光ファイバが知られている。例えば、波長選択フィルタとして、光ファイバのコア内に、例えばブラッグ効果を利用した回折格子が１個又は２個以上組み込まれた光ファイバが知られている。
【０００３】
このような構成の光ファイバでは、回折格子により反射された光の周波数は、回折格子の歪み及び外部環境の温度の変化により影響を受けてしまう。すなわちその光学特性には温度依存性がある。
【０００４】
例えば特表２０００−５０３９６７号公報には、回折格子の曝されている温度の変化による回折格子の温度依存性を排除して、回折格子の光学特性を補償する光学装置が開示されている。この温度補償される光学装置によれば、回折格子を含む光ファイバの一部の領域に、回折格子が、その本質的な機能を果たしうる条件で光ファイバの長手方向に予め張力をかけておく。この張力が加えられた当該光ファイバの一部の領域の両端部をファイバ保持部材に接着して保持している。この場合、ファイバ保持部材は、負の膨張係数を有する材料により形成してある。
【０００５】
このような光学装置によれば、温度変化に応答して生じる張力の増減により発生する回折格子の歪みを利用して、上述の光学特性の温度依存性を実質的に補償することができる。
【０００６】
【発明が解決しようとする課題】
しかしながら、上述した従来の温度補償される光学装置では、ファイバ保持部材自体が、外部環境の変化に対し、何ら保護されていない。特に当該光学装置がモジュールなどに現実に実装された場合には、ファイバ保持部材又はファイバグレーティングが、例えば外部から加わる応力により破損されて、その機能が損なわれてしまう恐れがあった。
【０００７】
また、ファイバ保持部材を覆って保護するパッケージ部材の適用を考慮した場合には、温度変化によるファイバ保持部材の膨張又は収縮、すなわち体積の増大又は減少を妨げないように、パッケージ化することは困難であった。例えばファイバ保持部材の底面部全面をパッケージ部材に接着すると、温度変化によるファイバ保持部材の体積の増大又は減少が妨げられてしまう。
【０００８】
従って、外部環境の温度変化に応じて回折格子の光学特性に対する温度補償を行いつつ、ファイバグレーティングを外部の応力等から保護することは困難であった。
【０００９】
【課題を解決するための手段】
この発明は、上記従来の問題点に鑑みてなされたものである。すなわちこの発明のファイバグレーティング型フィルタパッケージは、グレーティング領域を含む光ファイバを具え、このグレーティング領域の光学特性が温度補償される。
【００１０】
この発明のファイバグレーティング型フィルタパッケージは、光ファイバをグレーティング領域に張力を加えた状態で、接着固定材により保持している。その底面部には、第１の嵌合結合部が設けられているファイバ保持部材と、ファイバ保持部材を格納するための格納空間を形成する、上面側が開放されている略直方体状であって、互いに対向する２つの側面部に光ファイバを内部から外部へ貫通させて取り出すファイバ取り出し孔を具えている。
【００１１】
また、格納空間側の底面部には、第１の嵌合結合部と嵌合する第２の嵌合結合部が設けられているパッケージ部材と、パッケージ部材の上面側に接して固着されて、グレーティング領域及びファイバ保持部材をパッケージとして覆う蓋部材とを具えている。
【００１２】
そして、パッケージ部材とファイバ保持部材とが、第１の嵌合結合部と第二の嵌合結合部とにより、互いに一箇所で固定された状態で、パッケージ部材の側面及びファイバ保持部材の側面の間と、蓋部材及びファイバ保持部材上にグレーティング領域に張力を加えた状態で光ファイバを固定するための接着固定材の間と、嵌合させた第１の嵌合結合部及び第２の嵌合結合部の間とに、ファイバ保持部材の温度変化による膨張又は収縮を妨げないように間隙を設けてある。
【００１３】
この発明のファイバグレーティング型フィルタパッケージの構成によれば、パッケージを形成するパッケージ部材及び蓋部材により画成されるファイバ保持部材を格納するための格納空間の容積は、格納空間の温度の変化によるファイバ保持部材の体積の増大又は減少に影響を与えないように設定される。また、ファイバ保持部材の第１の嵌合結合部とパッケージ部材の第２の嵌合結合部とが嵌合して、この嵌合部一点のみでファイバ保持部材はパッケージ部材に固着されているので、パッケージ内部の空間を含む外部環境の温度の変化によるファイバ保持部材の膨張又は収縮を妨げることはなくなる。従って、回折格子の光学特性に対する温度補償効果を阻害することなく、特にグレーティング領域を保護することができる。
【００１４】
【発明の実施の形態】
以下、図を参照してこの発明の実施の形態につき説明する。なお、各図は発明を理解できる程度に各構成成分の形状、大きさおよび配置関係を概略的に示してあるに過ぎず、したがってこの発明を図示例に限定するものではない。また、各図において、同一の構成要素には同一の番号を付し、その説明を省略する場合もあることを理解されたい。
【００１５】
＜第１の実施の形態＞
図１を参照して、この発明の第１の実施の形態のグレーティング型フィルタパッケージにつき説明する。
【００１６】
図１（Ａ）はグレーティング型フィルタパッケージの内部の構造が理解できるように蓋部を取り除いた状態を上面からみた概略的な平面図、図１（Ｂ）は図１（Ａ）のＩ−Ｉ破線で切断した断面を示す概略的な断面図、及び図１（Ｃ）は図１（Ｂ）に示したパッケージ内部の主要な構造の配置関係を説明するための概略的な部分拡大図である。
【００１７】
この発明のファイバグレーティング型フィルタパッケージ１０は、ファイバ保持部材２０を具えている。このファイバ保持部材２０は、負の膨張係数を有している。これは、例えば、セラミック（例えば−８×１０−６／℃の膨張係数を有する日本電気硝子社製のＣＥＲＳＡＴ）等により略直方体の棒状に形成されている。このファイバ保持部材２０の底面中心部から光ファイバ３０の長手方向に直角に交わる方向に、第１の嵌合結合部４５が設けられている。この第１の嵌合結合部４５の形状は、例えば光ファイバ３０の長手方向に沿った断面形状が略長方形状である凹状の溝としてある。
【００１８】
このファイバ保持部材２０には、光ファイバ３０のうち、コアに１又は２以上の回折格子３２を含むグレーティング領域４１が載置される。なお、図ではグレーティング領域４１の位置を分かり易くするために、実際には存在するクラッド層は、図示していない（以下の図においても同様）。
【００１９】
このグレーティング領域４１の外側両端は、接着固定材３６により、ファイバ保持部材２０の表面上に固定されている。この光ファイバ３０の固定は、光ファイバ３０の長手方向に沿ってグレーティング領域４１に張力をかけた状態で行われている。
【００２０】
接着固定材３６としては、従来使用されている例えばＳｕｍｍｅｒｓＯｐｔｉｃａｌ社製ＶＴＣ−２等が挙げられる。
【００２１】
このような光ファイバ３０をファイバ保持部材２０に予め張力をかけた状態で、接着固定する構成により、ファイバ保持部材２０の温度変化依存的な膨張又は収縮が、グレーティング領域４１に伝わるため、予めグレーティング領域４１にかけられている張力と併せてグレーティング領域４１の曝される温度変化による光学特性の変化を補償することができる。このような温度補償の原理については、従来の技術の項で引用した特表２０００−５０３９６７号公報等に詳しい。光学特性の温度補償の原理については、この発明の要旨ではないのでその詳細な説明は省略する。
【００２２】
この発明のパッケージは、光ファイバ３０が保持されているファイバ保持部材２０と、これを外側から覆って保護するための保護部材としての箱体４０とで構成されている。以下、このパッケージの具体的な構成例につき説明する。このパッケージの箱体４０は、実質的に直方体状の箱体とするのが好ましい。この箱体４０は、内部に格納空間４１を有している。この箱体４０は、直方体の一面、ここでは上面が解放されている略直方体状のパッケージ部材４２と、パッケージ部材４２の開放されている上面側に固着されている板状の蓋部材４４とを具えている。格納空間４１には、ファイバ保持部材２０と、これに固着保持された光ファイバ３０の一部分、特にグレーティング領域３４とが格納されている。このパッケージ部材４２は、互いに対向する２つの側面部（又は側壁部ともいう。）に光ファイバ３０を格納空間４１内部から外部へ貫通させて導出させるための２つのファイバ取り出し孔４３を具えている。
【００２３】
パッケージ部材４２の外側面側のファイバ取り出し孔４３の出口には、ファイバ取り出し孔４３を延長するようにして、スリーブ部４６が設けられている。また、パッケージ部材４２の格納空間４１側の底面中心部には、第２の嵌合結合部４５が光ファイバ３０の長手方向に垂直に交わる方向に設けられている。この第２の嵌合結合部４５の形状は、光ファイバ３０の長手方向に沿った断面形状が略長方形状の凸状の突起である。
【００２４】
上述した第１の嵌合結合部２２と第２の嵌合結合部４５の形状は、この例では、第１の嵌合結合部２２を略直方体形状の凹状の溝とし、第２の嵌合結合部４５を略直方体形状の凸状の突起とする例で説明したが、この発明の目的を損なわない範囲でこれに限られず、互いに良好な嵌合ができるように、例えば三角柱等の任意の形状を選択することができる。また、この発明の目的を損なわない範囲で、この例とは凹凸を逆にして、ファイバ保持部材２０の第１の嵌合結合部２２を凸状とし、かつパッケージ部材４２の第２の結合嵌合部４５を凹状としてもよい。
【００２５】
さらに、この例では第１及び第２の嵌合結合部２２及び４５を、膨張率を考慮して、それぞれの部材の底面中心部に設ける例を説明したが、嵌合結合部を一箇所のみとして、その配置位置は適宜設定することができる。１箇所のみであれば、配置位置に関係なく、この嵌合結合部がファイバ保持部材２０の膨張又は収縮を妨げることはない。
【００２６】
第１の嵌合結合部２２と、第２の嵌合結合部４５とが互いに嵌合することで、この嵌合結合部一箇所のみでファイバ保持部材２０とパッケージ部材４２とが互いに固定（固着）される。
【００２７】
このようにすれば、ファイバ保持部材２０の体積の膨張又は収縮を妨げることなく、グレーティング領域３４の温度補償を行うことができる。
【００２８】
このパッケージ部材４２及び蓋部材４４の材料は、この発明の目的を損なわない範囲で特に限定されないが、温度変化による膨張率、コスト、強度等を考慮して、例えばアルミニウム製とするのがよい。この場合には、パッケージ部材４２及び蓋部材４４の膨張係数は２４×１０−６／℃である。パッケージ部材４２と蓋部材４４とは、図示されていない例えばねじ、ボルト及びナット、接着剤等の固着手段により互いに固着されて格納空間４１は、ほぼ閉空間とされる。
【００２９】
このパッケージ部材４２及び蓋部材４４により形成される格納空間４１の容積は、グレーティング領域４１を保持した状態のファイバ保持部材２０を格納することが可能な容積であって、かつ格納空間４１を含む外部環境の温度変化によるファイバ保持部材２０の体積の増大又は減少を妨げない容積とされる。
【００３０】
ここで、例えばファイバ保持部材２０を負の膨張係数、すなわち−８×１０−６／℃の膨張係数を有するセラミックスである日本電気硝子社製のＣＥＲＳＡＴとし、パッケージ部材４２及び蓋部材４４を膨張係数が２４×１０−６／℃であるアルミニウムにより構成した例で説明する。光ファイバ３０の長手方向に沿った方向のファイバ保持部材２０の長さを約８０ｍｍとし、パッケージ部材４２の同長手方向の長さを約９０ｍｍとする。
【００３１】
また、この例ではファイバ保持部材２０の側面と、この側面と対向するパッケージ部材４２の内壁側面との間の間隙（第１の間隙５０）は、室温（２０℃）で１００μｍと設定して説明する。
【００３２】
まず、外部環境の温度が、室温（２０℃）を基準として、マイナス方向に対するほぼ最大限の温度変化として想定される２０℃から−４０℃まで変化するものと仮定すると、生じる温度差は６０℃であるから、ファイバ保持部材２０は約４３μｍ膨張し、パッケージ部材４２は約１３０μｍ収縮することとなる。従って、ファイバ保持部材２０と、パッケージ部材４２又は蓋部材４４との間に合わせて１７０μｍのサイズ変動が生じる。従って、ファイバ保持部材２０とパッケージ部材４２との間に、特にファイバ保持部材２０の膨張を阻害しないように、このサイズ変動を緩衝するための第１の間隙５０を設ける。
【００３３】
また、ファイバ保持部材２０上にグレーティング領域３４に張力を加えた状態で固定するための接着固定材３６の上面と、蓋部材４４との間にも第２の間隙５１を設ける。
【００３４】
ファイバ保持部材２０は、その大きさが大きいほど、サイズ変動が大きいので、側面側には、室温（２０℃）において少なくとも（１７０／２）μｍ程度の第１の間隙５０を設ければ十分である。
【００３５】
また、ファイバ保持部材２０の上面側の間隙、すなわちファイバ保持部材２０上面の光ファイバ３０を固定している接着固定材３６の上面から、蓋部材４４までの間隙である第２の間隙５１については、この場合には、ファイバ保持部材２０の長手方向の長さの方が、その厚さよりも大きいので、ファイバ保持部材２０の長手方向の膨張に合わせて、例えば室温（２０℃）において１７０μｍと設定すればよい。
【００３６】
第１の間隙５０及び第２の間隙５１の大きさは、ファイバ保持部材２０の膨張係数と、パッケージ部材４２及び蓋部材４４との膨張係数を勘案して、外部環境の温度変化によるファイバ保持部材の体積の増大又は減少を妨げないように、適宜決定するのがよい。
【００３７】
従って、この例のパッケージでは、ファイバ保持部材２０の側面部の第１の間隙５０は、上述したように１００μｍあるので、上述の想定される範囲内の温度変化においては、ファイバ保持部材２０の膨張を阻害しないので、所定の温度補償効果を得ることができる。
【００３８】
さらにファイバ保持部材２０の底面中心部には第１の嵌合結合部２２が設けられていて、パッケージ部材４２の格納空間４１側の底面中心部には、第２の嵌合結合部４５が設けられている。そして、これら第１の嵌合結合部２２と第２の嵌合結合部４５とが互いに嵌合することで固定されている。従って、第１の嵌合結合部２２の溝の容積と、第２の嵌合結合部４５の突起の体積とは、第２の嵌合結合部４５の突起の体積を小さくした相似の形状とするのがよい。
【００３９】
第１の嵌合結合部２２及び第２の嵌合結合部４５の大きさは、格納空間４１を含む外部環境の温度変化により変動する。従って、この温度変化による第１の嵌合結合部２２と第２の嵌合結合部４５の大きさの変動が、ファイバ保持部材２０の膨張又は収縮を妨げないように、第１の嵌合結合部２２と第２の嵌合結合部４５の大きさが設定される。
【００４０】
第１の嵌合結合部２２と第２の嵌合結合部４５を嵌合させた後、特にファイバ保持部材２０の温度変化による体積の増大又は減少、すなわちグレーティング領域３４の温度補償効果を阻害しないように、第１の嵌合結合部２２の溝の側面と、第２の嵌合結合部４５の突起の側面との間には、第３の間隙６０が設けられている。第１の嵌合結合部２２の溝の底面と、第２の嵌合結合部４５の突起の上面との間には、第４の間隙６１が設けられている。
【００４１】
具体的には、上述と同様に例えばファイバ保持部材２０を負の膨張係数、すなわち−８×１０−６／℃の膨張係数を有するセラミックスである日本電気硝子社製のＣＥＲＳＡＴとし、パッケージ部材４２及び蓋部材４４を膨張係数が２４×１０−６／℃であるアルミニウムにより構成した例で説明する。
【００４２】
例えば、凹状の第１の嵌合結合部２２の溝の底面の短手方向の長さ及び凸状の第２の嵌合結合部４５の突起の上面の短手方向の長さを１ｍｍと設定したものとする。
【００４３】
室温（２０℃）を基準として、想定されるプラス方向に対するほぼ最大限の温度変化として、２０℃から８０℃まで変化するものと仮定すると、生じる温度差は６０℃であるから、第１の嵌合結合部２２の幅は約０．５μｍ収縮し、第２の嵌合結合部４５の幅は約１．４μｍ膨張することとなる。従って、この例の場合には、室温（２０℃）において少なくとも側面側には（１．９／２）μｍ程度の第３の間隙を設ければよい。ファイバ保持部材２０及びパッケージ部材４２の厚み方向への膨張は、第２の間隙５１について説明したように、長さ方向への膨張に比べて小さいので、室温（２０℃）において１．９μｍ程度の第４の間隙６１を設ければ十分である。
【００４４】
より具体的には、第３の間隙６０及び第４の間隙６１は、加工容易性を考慮して、好ましくは、第１の間隙５０と等しく１００μｍの間隙とすることができる。この値は、ファイバ保持部材２０のサイズに対しては、十分に小さな値であるので、ファイバ保持部材２０とパッケージ部材４２との不要な接触等による損傷が生じることはなく、これらを互いに固定することができる。従って、グレーティング領域３４の温度補償効果に悪影響を及ぼす恐れはない。
【００４５】
より好ましくは、この例での第３の間隙６０及び第４の間隙６１を、２０℃において、５μｍ〜１０μｍと等しく設定するのがよい。このようにすれば、グレーティング領域３４の温度補償効果を確保しつつ、より強固にファイバ保持部材２０をパッケージ部材４２に固定させることができる。
【００４６】
このように第３の間隙６０及び第４の間隙６１の大きさは、ファイバ保持部材の膨張係数と、パッケージ部材との膨張係数とを勘案して、温度変化によるファイバ保持部材の体積の増大又は減少を妨げないように、決定するのがよい。
【００４７】
この発明の第１の実施の形態のグレーティング型フィルタパッケージの構成によれば、パッケージを形成するパッケージ部材及び蓋部材により画成されるファイバ保持部材を格納するための格納空間の容積は、格納空間の温度の変化によるファイバ保持部材の体積の増大又は減少に影響を与えないように設定されている。
【００４８】
また、ファイバ保持部材の第１の嵌合結合部とパッケージ部材の第２の嵌合結合部とが嵌合して、この嵌合部一箇所のみでファイバ保持部材はパッケージ部材に固定され、支持されているので、格納空間の温度の変化によるファイバ保持部材の体積の増大又は減少を阻害することはなくなる。従って、極めて簡易な構成で、ファイバ保持部材をパッケージ部材及び蓋部材により覆うことで外部からの応力等から保護しつつ、温度依存性であるグレーティング領域の回折格子の機能に対する温度補償効果を得ることができる。
【００４９】
＜第２の実施の形態＞
図２を参照して、この発明の第２の実施の形態のファイバグレーティング型フィルタパッケージにつき説明する。
【００５０】
図２（Ａ）は、第２の実施の形態のファイバグレーティング型フィルタパッケージの内部の構造が理解できるように蓋部を取り除いた状態を上面からみた概略的な平面図及び図２（Ｂ）は、図２（Ａ）のＩ−Ｉ破線で切断した断面を示す概略的な断面図である。
【００５１】
ここで、第１の実施の形態と同一の構成要素については、同一番号を付してその詳細な説明は省略する。
【００５２】
この第２の実施の形態のファイバグレーティング型フィルタパッケージ１０は、第１の実施の形態のファイバグレーティング型フィルタパッケージの構成要素に加えて、パッケージ部材４２とファイバ保持部材２０とが、第１の嵌合結合部２２と第二の嵌合結合部４５とにより、互いに一箇所で固定された状態で、第１の間隙５０内に、ファイバ保持部材２０の側面部とパッケージ部材４２の内側面部とを接着して接続するように、第１の振動吸収性接着材７０が設けられている。
【００５３】
図においては、ファイバ保持部材２０の長手方向の側面の中央部とパッケージ部材４２の長手方向の内側面の中央部とを接着して接続してあるが、この発明の目的を損なわない範囲で特に限定されず、その第１の振動吸収性接着材７０の配置位置は適宜設定することができる。
【００５４】
この第１の振動吸収性接着材７０には、硬化後であっても例えばエポキシ系接着剤よりも柔軟で振動吸収性を奏する例えばゲル状の材質からなるものを選択するのがよい。
【００５５】
好適に適用される第１の振動吸収性接着材７０として、具体的には例えば東レ・ダウコーニング社製のＳＥ９１８７Ｌ等が挙げられる。
【００５６】
この第２の実施の形態のグレーティング型フィルタパッケージは、第１の実施の形態で説明した効果に加えて、例えば振動にさらされる場所に適用した場合でも、この第１の振動吸収性接着材７０が、柔軟なゲル状の材質から構成されているので、ファイバ保持部材の膨張又は収縮によるグレーティング領域３４の温度依存的な光学特性の補償効果に影響を与えることなく、より安定して、ファイバ保持部材２０とパッケージ部材４２とを固定することができる。
【００５７】
さらに、この第２の実施の形態のグレーティング型フィルタパッケージ１０はファイバ取り出し孔４３近傍にファイバ保持部材２０と、パッケージ部材４２とを接着する第２の振動吸収性接着材８０を設けるのが好適である。すなわちファイバ取り出し孔４３中を貫通している光ファイバ３０に沿って、パッケージ部材４２のファイバ取り出し孔４３が設けられている側面部と、この側面部と対向するファイバ保持部材２０の上面部と側面部との間に上側から、これら三者を接着して接続するように、第２の振動吸収性接着材８０を設けている。
【００５８】
この第２の振動吸収性接着材８０は、第１の振動吸収性接着材７０と同様の性質を奏するものを選択することができる。
【００５９】
第２の振動吸収性接着材８０を設けることにより、例えば振動等により、ファイバ取り出し孔４３近傍の光ファイバ３０に予期せずかかる応力を緩和することができるので、光ファイバ３０の損傷や、切断の恐れが減少する。
【００６０】
【発明の効果】
ファイバ保持部材をパッケージ部材及び蓋部材により覆う構成としても、外部環境の温度の変化によるファイバ保持部材の体積の増大又は減少を阻害することはないので、温度依存性であるグレーティング領域の光学特性に対する温度補償効果を損なうことなく、外部からの応力等から保護することができる。この発明のファイバグレーティング型フィルタパッケージは、極めて簡易な構成であるので、実施が容易である。従って、製造コストを低減することができる。
【００６１】
また、この発明のファイバグレーティング型フィルタパッケージの構成によれば、柔軟なゲル状の材質から構成されている第１の振動吸収性接着材を設けることにより、例えばパッケージが振動にさらされる場所に適用される場合でも、より安定して、ファイバ保持部材とパッケージ部材とを固定することができる。
【００６２】
さらに第２の振動吸収性接着材を設けることにより、例えば振動等により、ファイバ取り出し孔近傍の光ファイバにかかる応力を緩和することができるので、光ファイバの損傷や、切断の恐れを減少させることができる。
【図面の簡単な説明】
【図１】図１（Ａ）は第１の実施の形態のグレーティング型フィルタパッケージの内部の構造が理解できるように蓋部を取り除いた状態を上面からみた概略的な平面図であり、図１（Ｂ）は図１（Ａ）のＩ−Ｉ破線で切断した断面を示す概略的な断面図及び図１（Ｃ）はパッケージ内部の主要な構造の配置関係を説明するためのの概略的な部分拡大図である。
【図２】図２（Ａ）は第２の実施の形態のグレーティング型フィルタパッケージの内部の構造が理解できるように蓋部を取り除いた状態を上面からみた概略的な平面図であり、図２（Ｂ）は、図２（Ａ）のＩ−Ｉ破線で切断した断面を示す概略的な断面図である。
【符号の説明】
１０：ファイバグレーティング型フィルタパッケージ
２０：ファイバ保持部材
２２：第１の嵌合結合部
３０：光ファイバ
３２：回折格子
３４：グレーティング領域
３６：接着固定材
４０：箱体
４１：格納空間
４２：パッケージ部材
４３：ファイバ取り出し孔
４４：蓋部材
４５：第２の嵌合結合部
４６：スリーブ部
５０：第１の間隙
５１：第２の間隙
６０：第３の間隙
６１：第４の間隙
７０：第１の振動吸収性接着材
８０：第２の振動吸収性接着材
【図１】
2004045975.tif 000003
【図２】
2004045975.tif 000004